(57)【要約】【課題】コンパクトでありかつ内蔵発光装置のケラレを防止したデジタルカメラを提供する。【解決手段】カメラボディ２と、カメラボディ２に設けられた撮像光学系３と、撮像光学系によって結像された画像を取得する撮像部と、カメラボディ２の被写体側の外周端部に設けられた回転中心部５ｂ回りに回転し、回転中心部５ｂよりも撮像光学系３側に設けられた収納位置５ｃと、回転中心部５ｄに対して撮像光学系３の反対側に設けられた発光位置５ｄとの間を移動する発光部５ａと、カメラボディ２を撮像光学系３の光軸方向から見たときに、その少なくとも一部が発光部５ａの収納位置５ｃと重なった箇所に配置され、撮像部が取得した画像を表示するファインダユニット部４とを備えるデジタルカメラとする。【選択図】図１
2006010798.tif 000002
【特許請求の範囲】
【請求項１】
カメラボディと、
前記カメラボディに設けられた撮像光学系と、
前記撮像光学系によって結像された画像を取得する撮像部と、
前記カメラボディの被写体側の外周端部に設けられた回転中心部回りに回転し、前記回転中心部よりも前記撮像光学系側に設けられた収納位置と、前記回転中心部に対して前記撮像光学系の反対側に設けられた発光位置との間を移動する発光部と、
前記カメラボディを前記撮像光学系の光軸方向から見たときに、その少なくとも一部が前記発光部の前記収納位置と重なった箇所に配置され、前記撮像部が取得した画像を表示するファインダユニット部と
を備えるデジタルカメラ。
【請求項２】
請求項１に記載のデジタルカメラにおいて、
前記撮像光学系は、最大７５°以上の画面対角画角を有すること
を特徴とするデジタルカメラ。
【請求項３】
請求項１又は請求項２に記載のデジタルカメラにおいて、
前記回転中心部は、正位置撮影時における前記撮像光学系の上側に設けられ、
前記発光部の前記発光位置は、この発光部の前記収納位置よりも前記撮像光学系の光軸方向対物側に設けられること
を特徴とするデジタルカメラ。
【請求項４】
請求項３に記載のデジタルカメラにおいて、
前記カメラボディの正位置撮影時における上面部の前記回転中心部よりも前記撮像光学系の光軸方向像側の範囲に情報表示部を設けたこと
を特徴とするデジタルカメラ。
【請求項５】
請求項３又は請求項４に記載のデジタルカメラにおいて、
前記カメラボディの正位置撮影時における上面部の前記回転中心部よりも前記撮像光学系の光軸方向像側の範囲に外部発光装置の取付部を設けたこと
を特徴とするデジタルカメラ。
【発明の詳細な説明】
【技術分野】
【０００１】
本発明は、デジタルカメラに関するものである。
【背景技術】
【０００２】
ボディに固定されたレンズ鏡筒を有するレンズ一体型のデジタルカメラは、一般に、焦点距離が可変するズームレンズ及び撮影用の補助光源として使用される閃光発光装置等の発光装置を備えている。
このようなデジタルカメラにおいて、ズームレンズの最短焦点距離を短くし、より広角の撮影を可能とすることが要望されている。
しかし、ズームレンズを広角化すると、レンズ鏡筒のサイズが大きくなってカメラ全体が大型化し、その携帯性を損なう場合がある。
【０００３】
このような広角レンズを装着したデジタルカメラの場合、透視式の光学ファインダによってその広い画角をカバーしようとすると、ファインダ光学系が大型化してしまう。また、ファインダ像の視野にレンズ鏡筒が入り込み、視野を妨げるいわゆる「ケラレ」が生じてしまう。
デジタルカメラは、一般に、ボディの背面部に撮影済み画像を再生するための液晶表示装置（ＬＣＤ）が設けられ、これをファインダとして代用することも知られているが、これを用いると、撮影者は、カメラボディが顔面から離れた状態で保持することになる。しかし、撮影時の手振れを低減するためには、接眼式のファインダを用いて、カメラボディを撮影者の顔面に接した状態で保持するほうが好ましい。
【０００４】
また、撮影画角が広角化すると、発光装置はより広い照射角が要求されるが、その照射光がレンズ鏡筒によって遮られ、撮像される画像の一部にその影部が写りこむこと（これも「ケラレ」と称される。）が問題となる。これに対し、例えば、レンズ先端部の外周縁に沿って配置されるリングライトを用いることも考えられるが、レンズ鏡筒が著しく大型化してしまう。また、不使用時にはカメラボディ内に収納され、使用時のみ上方に移動してケラレを低減するいわゆるポップアップ式の発光装置もあるが、既存のポップアップ式の発光装置では、その発光部の撮影者側（ボディ背面側）に設けた軸周りに発光部を回転移動させるものであり、発光部が上方に移動すると同時に、撮影者側に後退してしまうので、ケラレの低減効果が十分でない場合があった。
【０００５】
従来、カメラをコンパクトにする目的で、モニター付きカメラの撮影光学系からの光束を回折させ、偏向してから取得し、その画像をモニターすることが提案されている（例えば、特許文献１を参照。）。
【特許文献１】特開２００１−９４８４８号公報
【発明の開示】
【発明が解決しようとする課題】
【０００６】
本発明の課題は、コンパクトでありかつファインダ像のケラレ及び内蔵発光装置のケラレを防止したデジタルカメラを提供することにある。
【課題を解決するための手段】
【０００７】
本発明は、以下のような解決手段により、前記課題を解決する。なお、理解を容易にするために、本発明の実施例に対応する符号を付して説明するが、これに限定されるものではない。
【０００８】
請求項１の発明は、カメラボディ（２）と、前記カメラボディ（２）に設けられた撮像光学系（３）と、前記撮像光学系（３）によって結像された画像を取得する撮像部と、前記カメラボディ（２）の被写体側の外周端部に設けられた回転中心部（５ｂ）回りに回転し、前記回転中心部（５ｂ）よりも前記撮像光学系（３）側に設けられた収納位置（５ｃ）と、前記回転中心部（５ｂ）よりも前記撮像光学系（３）の反対側に設けられた発光位置（５ｄ）との間を移動する発光部（５ａ）との間を移動する発光部（５ａ）と、前記カメラボディ（２）を前記撮像光学系（３）の光軸方向から見たときに、その少なくとも一部が前記発光部（５ａ）の前記収納位置（５ｃ）と重なった箇所に配置され、前記撮像部が取得した画像を表示するファインダユニット部（４）とを備えるデジタルカメラである。
【０００９】
請求項２の発明は、請求項１に記載のデジタルカメラにおいて、前記撮像光学系（３）は、最大７５°以上の画面対角画角を有することを特徴とするデジタルカメラである。
【００１０】
請求項３の発明は、請求項１又は請求項２に記載のデジタルカメラにおいて、前記回転中心部（５ｂ）は、正位置撮影時における前記撮像光学系（３）の上側に設けられ、前記発光部（５ａ）の前記発光位置（５ｄ）は、この発光部（５ａ）の前記収納位置（５ｃ）よりも前記撮像光学系（３）の光軸方向対物側に設けられることを特徴とするデジタルカメラである。
【００１１】
請求項４の発明は、請求項３に記載のデジタルカメラにおいて、前記カメラボディ（２）の正位置撮影時における上面部の前記回転中心部（５ｃ）よりも前記撮像光学系（３）の光軸方向像側の範囲に情報表示部（７）を設けたことを特徴とするデジタルカメラである。
【００１２】
請求項５の発明は、請求項３又は請求項４に記載のデジタルカメラにおいて、前記カメラボディ（２）の正位置撮影時における上面部の前記回転中心部（５ｂ）よりも前記撮像光学系（３）の光軸方向像側の範囲に外部発光装置の取付部（６）を設けたことを特徴とするデジタルカメラである。
【発明の効果】
【００１３】
本発明によれば、以下のような効果を奏することができる。
（１）ファインダは、撮像部が取得した画像を表示するものとしたから、ファインダ光学系の大型化を防止することができ、またレンズ鏡筒によるファインダ像のケラレや、パララックスが発生しない。また、ファインダ視野率を容易に向上することができる。
（２）発光部は、カメラボディの被写体側の外周端部に設けた回転中心部回りに回転し、その上部にある発光位置に移動するようにしたから、撮像光学系の光軸から発光位置までの距離を大きくすることができ、撮像光学系による照射光のケラレを防止することができる。
（３）上述した回転中心部の下方に発光部の収納位置を設け、かつファインダを撮像部が取得した画像を表示するものとしたから、カメラボディを撮像光学系の光軸方向から見たときに、ファインダユニットを、その少なくとも一部が、発光部の収納位置と重なった箇所に配置することができ、これによってカメラの外形をコンパクトにすることができる。
（４）カメラボディの正位置撮影時における上面部の回転中心部よりも光軸方向像側の範囲に情報表示部、外部発光装置の取付部の少なくとも一方を配置したから、これらを装備してもカメラの外形をコンパクトにすることができる。
【発明を実施するための最良の形態】
【００１４】
本発明は、カメラボディの被写体側の上端部に設けられた回転軸回りに回転し、その下部の収納位置と上部の発光位置との間を移動する発光部と、電子ビューファインダユニットとを、カメラボディをレンズ鏡筒の光軸方向から見たときに、少なくとも一部が重なるように配置することによって上述した課題を解決する。
【実施例】
【００１５】
以下、図面等を参照して、本発明の実施例をあげて、さらに詳しく説明する。
図１は、本発明を適用したデジタルカメラの実施例の正面視図である。図２は、図１のII−II部矢視図である。図３は、図１のIII−III部矢視図である。図４は、図２のIV−IV部矢視図である。なお、以下の説明中、上下左右等の方向については、正位置撮影時を基準として説明する。
【００１６】
デジタルカメラ１は、ボディ２と、レンズ鏡筒３と、電子ビューファインダユニット（ＥＶＦユニット）４と、閃光発光装置（ＳＢ）５と、アクセサリシュー６と、上面液晶表示装置（上面ＬＣＤ）７と、グリップ部８と、レリーズスイッチ９と、コマンドダイアル１０と、背面液晶表示装置（背面）ＬＣＤ１１と、ＡＦセンサ１２と、ＰＣコネクタカバー１３と、ビデオ／電源端子カバー１４と、メディアスロットカバー１５と、十字キー１６と、ズームスイッチ１７とを有する。以下、各部につき説明する。
【００１７】
ボディ２は、図１に示すように、横長の略矩形の箱状に形成され、レンズ鏡筒３は、このボディ２の対物側の面部から突き出して配置されている。
本実施例の場合は、ボディ２の寸法は、例えば、高さＨ（図１参照）が８５ｍｍ以下、横幅Ｗ(同)が１１５ｍｍ以下、光軸方向の奥行きＤ(図２参照)が７５ｍｍ以下のサイズとなっている。
【００１８】
レンズ鏡筒３は、ボディ２をレンズ鏡筒３の光軸方向対物側から見たときに、ボディ２の中心から右側下方にずらして配置されている。
レンズ鏡筒３は、テレスコピック式の伸縮機構を有し、デジタルカメラ１を使用しないときには、その全長を縮めて、ボディ２内に格納されるいわゆる沈胴式のものである。そして、デジタルカメラ１の使用時には、レンズ鏡筒３は、ボディ２の前面からレンズ鏡筒３の先端までの長さＬ（図２参照）が、例えば、４０ｍｍ以上となるように伸長される。
【００１９】
レンズ鏡筒３は、焦点距離を無段階に変更可能なズームレンズであり、その最短焦点距離と、最長焦点距離との比率（ズーム比）は、例えば、３倍である。
レンズ鏡筒３は、ボディ２の内部に備えられる図示しない撮像素子の撮像面上に、被写体像を結像させる。この撮像素子が、例えば、１／１．８型のＣＣＤである場合、レンズ鏡筒３の最短焦点距離は、例えば、５．０ｍｍであり、その画面対角画角は約８４°となる。なお、この画角は、一般的な３５ｍｍフィルムカメラにおける焦点距離では約２４ｍｍに相当する。
また、レンズ鏡筒３は、そのサイズが過度に大型化することを防ぐため、開放ｆ値が、例えば、２．８以上に設定されている。
【００２０】
ＥＶＦユニット４は、図２及び図３に示すように、ボディ２の背面側（撮影者側）の上部に備えられている。ＥＶＦユニット４は、上述した撮像素子が取得した画像を表示する図示しない表示部と、表示部上の画像を観察するための光学系を備えた接眼部４ａを備えている。
【００２１】
ＳＢ５は、ボディ２の正面側（被写体側）のレンズ鏡筒３の上部に設けられている。
ＳＢ５の発光部５ａは、図２に示すように、ボディ２の正面と上面とが接する角部付近に配置された回転軸５ｂ回りに回転し、その下部に設けられた収納位置５ｃと、その上部に設けられた発光位置５ｄとの間を移動する。
この発光位置５ｄは、そのレンズ鏡筒３の光軸方向における位置が、回転軸５ｂよりも対物側に配置され、発光部５ａは、発光位置５ｄにあるときに、ボディ２の被写体側の面よりも例えば１０ｍｍ以上対物側に配置される。また、発光部５ａは、発光位置５ｄにあるときに、その鉛直方向における位置が、ボディ２の上面よりも例えば１０ｍｍ以上上方に配置される。また、このとき、発光部５ａのレンズ鏡筒３の光軸からの距離は、例えば４５ｍｍ以上とされる。
ＳＢ５の収納位置５ｃと、ＥＶＦユニット４とは、図１に示すように、ボディ２を対物側から見たときに、ＥＶＦユニット４が右側にずれているが、部分的には重なるように配置されている。
発光部５ａは、図２に破線により示すように、収納位置５ｃにあるときに、ＳＢ部５はボディ２の外表面に対して略凹凸なく収納されるようになっている。
発光部５ａの照射角は、レンズ鏡筒３の最短焦点距離時の画角をカバーすることを考慮して設定され、本実施例の場合には、例えば、上下方向の照射角θが約１２０°以上となっている。
【００２２】
アクセサリシュー６及び上面ＬＣＤ７は、ボディ２の上面に設けられている。アクセサリシュー６と上面ＬＣＤ７とは、ボディ２を対物側から見たときに横方向に並べて配列されており、アクセサリシュー６が向かって右側となるように配置されている。
アクセサリシュー６は、図示しない外付けの発光装置（ＳＢ）が装着されるホットシューである。
上面ＬＣＤ７は、主に文字情報及びアイコン等の記号情報を表示するものである。この文字情報には、例えば、撮影可能な残コマ数、自動露光モード、シャッター速度、撮影時絞り値、露出補正値、画像記録モード、ホワイトバランス、撮像感度等が含まれる。また、記号情報には、例えば、電池残量、ＳＢ発光モード、連写モード、測光モード、フォーカスモード、セルフタイマーの作動等を示す記号が含まれる。
【００２３】
グリップ部８は、ボディ２を対物側から見たときに、その左側の端部に設けられ、ボディ２の対物側の面から張り出して形成されている。グリップ部８の上面部は、この面の法線が前傾するように傾斜して形成されている。
レリーズスイッチ９は、上述したグリップ部８の上面部に備えられている。
コマンドダイアル１０は、ボディ２を対物側から見たときのその左側の上面部に設けられ、回転操作によって、例えば自動露出モードの変更や、静止画撮影と動画撮影との切換といった各種入力を行うものである。
【００２４】
背面ＬＣＤ１１は、図４に示すように、ボディ２の背面側（撮影者側）に備えられている。この背面ＬＣＤ１１は、撮像済みの画像やそのヒストグラム等を表示する機能を有するカラーＬＣＤであり、撮影前のフレーミング時に撮像部が取得した画像を表示し、ファインダとして代用する機能も備えている。また、背面ＬＣＤ１１の画面対角寸法は、例えば１．８インチ以上である。この背面ＬＣＤ１１は可動ジョイント部１１ａを介してボディ２に取り付けられている。可動ジョイント部１１は、撮影者側から見たときの背面ＬＣＤ１１の左側の端部に配置され、ＬＣＤ１１を鉛直方向軸回り及びＬＣＤ１１の長手方向における水平方向軸周りにそれぞれ回転可能に保持するものである。
【００２５】
ＡＦセンサ１２は、レンズ鏡筒３のフォーカシングに必要な被写体までの距離情報を取得するものであり、図１に示すように、ボディ２を対物側から見たときに、ＳＢ部５の収納位置５ｃの右側に設けられている。
【００２６】
ＰＣコネクタカバー１３は、デジタルカメラ１を図示しないＰＣ等に接続して画像データの転送等を行うためのコネクタをカバーするものであり、図４に示すように、ボディ２の撮影者側から見た左側の側面上部に設けられている。このコネクタは、例えば、ＵＳＢコネクタである。（「ＵＳＢ」は日立マクセル株式会社の登録商標である。）
ビデオ／電源端子カバー１４は、画像データをビデオ信号出力する端子及びＡＣ電源アダプタを接続する端子をカバーするものであり、ボディ２の撮影者側から見た右側の側面上部に設けられている。
メディアスロットカバー１５は、例えば、メモリカード等の着脱式の記憶媒体が挿入される図示しないスロットを保護するものであり、ビデオ／電源端子カバー１４の下側に設けられている。
【００２７】
十字キー１６は、例えば、フォーカスエリアの選択や、背面ＬＣＤ１１上に表示されるカーソルの移動等、四方向の操作入力を行なうものであり、ボディ２の背面側の背面ＬＣＤ１１の撮影者側から見て右側に設けられている。
ズームスイッチ１７は、レンズ鏡筒３の焦点距離を変更する操作部であり、十字キー１６の上部に設けられている。
【００２８】
以上のように、本実施例によれば、ファインダをＥＶＦとしたから、レンズ鏡筒３を画面対角画角が最大約８４°となる広角ズームレンズとした場合であっても、ファインダ光学系が過度に大型化することがなく、デジタルカメラ１をコンパクトにすることができる。また、ＥＶＦとすることによって、レンズ鏡筒３によるファインダ像のケラレが生ない。また、比較的容易にファインダ視野率１００％を確保することができる。
また、ＳＢ部５の発光部５ａが、ボディ２の上部前端縁に設けた回転軸５ｂ回りに、その下側の収納位置５ｃから上側の発光位置５ｄに回転移動するから、発光位置５ｄをレンズ鏡筒３の光軸から離すことができ、レンズ鏡筒３による照射光のケラレを防止することができる。
さらに、ＥＶＦユニット４を発光部５ａの収納位置５ｄの背面側に配置し、アクセサリシュー６と上面ＬＣＤ７とを、上述した回転軸５ｂとＥＶＦユニット４の接眼部４ａとの間のボディ２上面に配置したから、デジタルカメラ１をコンパクトにすることができる。
【００２９】
（変形例）
なお、本発明は、上述した実施例によって限定されるものではなく、種々の変形や変更が可能であって、それらも本発明の均等の範囲内である。
（１）実施例のデジタルカメラ１は、その上面部にアクセサリシュー６及び上面ＬＣＤ７を備えているが、これらの一方又は両方を備えずに、カメラのコンパクト化を図るようにしてもよい。
（２）実施例のデジタルカメラ１は、ボディ２の被写体側の面にグリップ部８を備えているが、このようなグリップ部のないいわゆるカード型のデジタルカメラであっても、本発明を適用することができる。また、レリーズスイッチ、モードダイアル、キー、スイッチ類の操作部の個数、配置等も適宜変更してよい。
（３）実施例のデジタルカメラ１は、発光装置５として閃光発光装置を備えているが、発光装置はこれに限らず、例えばＬＥＤ等を有する定常発光する発光部を備えたものであってもよい。
【図面の簡単な説明】
【００３０】
【図１】本発明を適用したデジタルカメラの実施例の正面視図である。
【図２】図１のII−II部矢視図である。
【図３】図１のIII−III部矢視図である。
【図４】図２のIV−IV部矢視図である。
【符号の説明】
【００３１】
１    デジタルカメラ
２    ボディ
３    レンズ鏡筒
４    電子ビューファインダユニット（ＥＶＦユニット）
４ａ  接眼部
５    閃光発光装置（ＳＢ部）
５ａ  発光部
５ｂ  回転軸
５ｃ  収納位置
５ｄ  発光位置
６    アクセサリシュー
７    上面液晶表示装置（ＬＣＤ）
８    グリップ部
９    レリーズスイッチ
１０    コマンドダイアル
１１    背面液晶表示装置（ＬＣＤ）
１２    ＡＦセンサ
１３    ＰＣコネクタカバー
１４    ビデオ／電源端子カバー
１５    メディアスロットカバー
１６    十字キー
１７    ズームスイッチ
【図１】
2006010798.tif 000003
【図２】
2006010798.tif 000004
【図３】
2006010798.tif 000005
【図４】
2006010798.tif 000006